(57)【要約】【課題】この発明は、記憶装置に記録されている放送番組と記憶装置に記録されているコンテンツファイルのリストを再生リストとして表示する際に、記憶装置に記録されている放送番組に関連するコンテンツファイルの情報をそれに関連する放送番組の情報に隣接して表示させることができる映像記録再生装置を提供することを目的とする。【解決手段】再生リスト表示手段によって表示された再生リストからユーザによって選択された放送番組またはコンテンツファイルを再生させる再生手段を備えており、再生リスト表示手段は、記憶装置に記録されているコンテンツファイルのうち、記憶装置に記録されている放送番組に関連するコンテンツファイルについては、そのコンテンツファイルの情報をそれに関連する放送番組の情報に隣接して表示させるものである。【選択図】図２
2008278039.tif 000002
【特許請求の範囲】
【請求項１】
放送番組を記憶装置に記録する手段、
コンテンツファイル配信サーバによって提供されかつある放送番組と関連するコンテンツファイルを取得して記憶装置に記録する手段、
記憶装置に記録したコンテンツファイル毎に、それに関連する放送番組に関する情報を、コンテンツファイル管理テーブルに記憶する手段、
記憶装置に記録されている放送番組およびコンテンツファイルのリストを、再生リストとして表示させる再生リスト表示手段、ならびに
再生リスト表示手段によって表示された再生リストからユーザによって選択された放送番組またはコンテンツファイルを再生させる再生手段を備えており、
再生リスト表示手段は、記憶装置に記録されているコンテンツファイルのうち、記憶装置に記録されている放送番組に関連するコンテンツファイルについては、そのコンテンツファイルの情報をそれに関連する放送番組の情報に隣接して表示させるものであることを特徴とする映像記録再生装置。
【請求項２】
放送番組を記憶装置に記録する手段、
コンテンツファイル配信サーバによって提供されかつある放送番組と関連するコンテンツファイルを取得して記憶装置に記録する手段、
記憶装置に記録したコンテンツファイル毎に、それに関連する放送番組に関する情報を、コンテンツファイル管理テーブルに記憶する手段、ならびに
記憶装置に記録されている放送番組およびコンテンツファイルを再生させるための再生手段を備えており、
再生手段は、記憶装置に記録された放送番組のうち、それに関連するコンテンツファイルが記憶装置に記録されている放送番組を再生する指令が入力されたときには、当該放送番組に関連するコンテンツファイルを再生した後に当該放送番組を再生させる手段を備えていることを特徴とする映像記録再生装置。
【請求項３】
放送番組を記憶装置に記録する手段、
放送番組を記憶装置に記録する際に、当該放送番組に含まれるＣＭ区間を検出し、検出した各ＣＭ区間を当該放送番組のＣＭ区間として記憶装置に保存する手段、
コンテンツファイル配信サーバによって提供されかつある放送番組と関連するコンテンツファイルを取得して記憶装置に記録する手段、
記憶装置に記録したコンテンツファイル毎に、それに関連する放送番組に関する情報を、コンテンツファイル管理テーブルに記憶する手段、ならびに
記憶装置に記録されている放送番組およびコンテンツファイルを再生させるための再生手段を備えており、
再生手段は、記憶装置に記録された放送番組のうち、それに関連するコンテンツファイルが記憶装置に記録されている放送番組を再生する指令が入力されたときには、当該放送番組に含まれている各ＣＭ区間においては、そのＣＭ区間内のＣＭコンテンツを、当該放送番組に関連するコンテンツファイルに差し替えて再生する手段を備えていることを特徴とする映像記録再生装置。
【請求項４】
放送番組を記憶装置に記録する手段、
放送番組を記憶装置に記録する際に、当該放送番組に含まれるＣＭ区間を検出し、検出した各ＣＭ区間を当該放送番組のＣＭ区間として記憶装置に保存する手段、
コンテンツファイル配信サーバによって提供されかつある放送番組と関連するコンテンツファイルを取得して記憶装置に記録する手段、
記憶装置に記録したコンテンツファイル毎に、それに関連する放送番組に関する情報を、コンテンツファイル管理テーブルに記憶する手段、ならびに
記憶装置に記録されている放送番組およびコンテンツファイルを再生させるための再生手段を備えており、
再生手段は、記憶装置に記録された放送番組のうち、それに関連するコンテンツファイルが記憶装置に記録されている放送番組を再生する指令が入力されたときには、当該放送番組に含まれている各ＣＭ区間とその後に続く本編との間に、当該放送番組に関連するコンテンツファイルを挿入して再生する手段を備えていることを特徴とする映像記録再生装置。
【請求項５】
放送番組の録画予約が行なわれたときに録画予約番組に関する情報を録画予約情報として記憶装置に保存させるとともに、当該録画予約情報をコンテンツファイル配信サーバに送信する手段を備えており、これにより、コンテンツファイル配信サーバは、コンテンツファイル配信サーバが受信した録画予約情報によって特定される放送番組に関連するコンテンツファイルを当該映像記録再生装置に提供することが可能となる請求項１乃至４に記載の映像記録再生装置。
【請求項６】
映像記録再生装置と、映像記録再生装置にコンテンツファイルを配信するためのコンテンツファイル配信サーバとを備えたコンテンツ配信システムにおいて、  映像記録再生装置は、
放送番組の録画予約が行なわれたときに録画予約番組に関する情報を録画予約情報として記憶装置に保存するとともに当該録画予約情報をコンテンツファイル配信サーバに送信する手段、
録画予約された放送番組を録画して記憶装置に記録する手段、ならびに
コンテンツファイル配信サーバによって提供されるコンテンツファイルを取得して記憶装置に記録する手段を備えており、
コンテンツファイル配信サーバは、
複数のコンテンツファイルであって、それぞれが放送番組に関連しているコンテンツファイルが記憶されているコンテンツファイル記憶装置、ならびに
映像記録再生装置から送信されてきた録画予約情報によって特定される放送番組に関連するコンテンツファイルを、コンテンツファイル記憶装置から検索して当該映像記録再生装置に提供する手段、
を備えていることを特徴とするコンテンツ配信システム。
【発明の詳細な説明】
【技術分野】
【０００１】
この発明は、放送番組を記録再生する機能と通信機能を備えた映像記録再生装置およびコンテンツ配信システムに関する。
【背景技術】
【０００２】
近年、ＦＴＴＨ（Fiber To The Home)などの通信インフラの高速/ 低価格化や、ＰＣ、デジタルカメラ、携帯型電話機等の普及により、動画ファイルのやり取りが手軽にできるようになった。しかし一方で、動画ファイルを視聴するには専用の端末やソフトウエアを起動する必要があり、いわゆるプッシュ型の動画ファイルをユーザに視聴してもらうことは困難であった。
【特許文献１】特開２００２−３４４３９９号公報
【発明の開示】
【発明が解決しようとする課題】
【０００３】
この発明は、記憶装置に記録されている放送番組と記憶装置に記録されているコンテンツファイルのリストを再生リストとして表示する際に、記憶装置に記録されている放送番組に関連するコンテンツファイルの情報をそれに関連する放送番組の情報に隣接して表示させることができる映像記録再生装置を提供することを目的とする。
【０００４】
また、この発明は、記憶装置に記録された放送番組のうち、それに関連するコンテンツファイルが記憶装置に記録されている放送番組を再生する指令が入力されたときには、当該放送番組を再生するだけでなく、当該放送番組に関連するコンテンツファイルをも再生することができる映像記録再生装置を提供することを目的とする。
【０００５】
また、この発明は、映像記録再生装置で録画予約された放送番組に関連したコンテンツファイルを、コンテンツファイル配信サーバが当該映像記録再生装置に提供できるようになるコンテンツ配信システムを提供することを目的とする。
【課題を解決するための手段】
【０００６】
請求項１に記載の発明は、放送番組を記憶装置に記録する手段、コンテンツファイル配信サーバによって提供されかつある放送番組と関連するコンテンツファイルを取得して記憶装置に記録する手段、記憶装置に記録したコンテンツファイル毎に、それに関連する放送番組に関する情報を、コンテンツファイル管理テーブルに記憶する手段、記憶装置に記録されている放送番組およびコンテンツファイルのリストを、再生リストとして表示させる再生リスト表示手段、ならびに再生リスト表示手段によって表示された再生リストからユーザによって選択された放送番組またはコンテンツファイルを再生させる再生手段を備えており、再生リスト表示手段は、記憶装置に記録されているコンテンツファイルのうち、記憶装置に記録されている放送番組に関連するコンテンツファイルについては、そのコンテンツファイルの情報をそれに関連する放送番組の情報に隣接して表示させるものであることを特徴とする。
【０００７】
請求項２に記載の発明は、放送番組を記憶装置に記録する手段、コンテンツファイル配信サーバによって提供されかつある放送番組と関連するコンテンツファイルを取得して記憶装置に記録する手段、記憶装置に記録したコンテンツファイル毎に、それに関連する放送番組に関する情報を、コンテンツファイル管理テーブルに記憶する手段、ならびに記憶装置に記録されている放送番組およびコンテンツファイルを再生させるための再生手段を備えており、再生手段は、記憶装置に記録された放送番組のうち、それに関連するコンテンツファイルが記憶装置に記録されている放送番組を再生する指令が入力されたときには、当該放送番組に関連するコンテンツファイルを再生した後に当該放送番組を再生させる手段を備えていることを特徴とする。
【０００８】
請求項３に記載の発明は、放送番組を記憶装置に記録する手段、放送番組を記憶装置に記録する際に、当該放送番組に含まれるＣＭ区間を検出し、検出した各ＣＭ区間を当該放送番組のＣＭ区間として記憶装置に保存する手段、コンテンツファイル配信サーバによって提供されかつある放送番組と関連するコンテンツファイルを取得して記憶装置に記録する手段、記憶装置に記録したコンテンツファイル毎に、それに関連する放送番組に関する情報を、コンテンツファイル管理テーブルに記憶する手段、ならびに記憶装置に記録されている放送番組およびコンテンツファイルを再生させるための再生手段を備えており、再生手段は、記憶装置に記録された放送番組のうち、それに関連するコンテンツファイルが記憶装置に記録されている放送番組を再生する指令が入力されたときには、当該放送番組に含まれている各ＣＭ区間においては、そのＣＭ区間内のＣＭコンテンツを、当該放送番組に関連するコンテンツファイルに差し替えて再生する手段を備えていることを特徴とする。
【０００９】
請求項４に記載の発明は、放送番組を記憶装置に記録する手段、放送番組を記憶装置に記録する際に、当該放送番組に含まれるＣＭ区間を検出し、検出した各ＣＭ区間を当該放送番組のＣＭ区間として記憶装置に保存する手段、コンテンツファイル配信サーバによって提供されかつある放送番組と関連するコンテンツファイルを取得して記憶装置に記録する手段、記憶装置に記録したコンテンツファイル毎に、それに関連する放送番組に関する情報を、コンテンツファイル管理テーブルに記憶する手段、ならびに記憶装置に記録されている放送番組およびコンテンツファイルを再生させるための再生手段を備えており、再生手段は、記憶装置に記録された放送番組のうち、それに関連するコンテンツファイルが記憶装置に記録されている放送番組を再生する指令が入力されたときには、当該放送番組に含まれている各ＣＭ区間とその後に続く本編との間に、当該放送番組に関連するコンテンツファイルを挿入して再生する手段を備えていることを特徴とする。
【００１０】
請求項５に記載の発明は、請求項１乃至４に記載の映像記録再生装置において、放送番組の録画予約が行なわれたときに録画予約番組に関する情報を録画予約情報として記憶装置に保存させるとともに、当該録画予約情報をコンテンツファイル配信サーバに送信する手段を備えており、これにより、コンテンツファイル配信サーバは、コンテンツファイル配信サーバが受信した録画予約情報によって特定される放送番組に関連するコンテンツファイルを当該映像記録再生装置に提供することが可能となることを特徴とする。
【００１１】
請求項６に記載の発明は、映像記録再生装置と、映像記録再生装置にコンテンツファイルを配信するためのコンテンツファイル配信サーバとを備えたコンテンツ配信システムにおいて、映像記録再生装置は、放送番組の録画予約が行なわれたときに録画予約番組に関する情報を録画予約情報として記憶装置に保存するとともに当該録画予約情報をコンテンツファイル配信サーバに送信する手段、録画予約された放送番組を録画して記憶装置に記録する手段、ならびにコンテンツファイル配信サーバによって提供されるコンテンツファイルを取得して記憶装置に記録する手段を備えており、コンテンツファイル配信サーバは、複数のコンテンツファイルであって、それぞれが放送番組に関連しているコンテンツファイルが記憶されているコンテンツファイル記憶装置、ならびに映像記録再生装置から送信されてきた録画予約情報によって特定される放送番組に関連するコンテンツファイルを、コンテンツファイル記憶装置から検索して当該映像記録再生装置に提供する手段を備えていることを特徴とする。
【００１２】
なお、請求項１〜６における「コンテンツファイル」には、動画ファイル、静止画ファイルが含まれる。
【発明の効果】
【００１３】
この発明によれば、記憶装置に記録されている放送番組と記憶装置に記録されているコンテンツファイルのリストを再生リストとして表示する際に、記憶装置に記録されている放送番組に関連するコンテンツファイルの情報をそれに関連する放送番組の情報に隣接して表示させることができるようになる。
【００１４】
また、この発明によれば、記憶装置に記録された放送番組のうち、それに関連するコンテンツファイルが記憶装置に記録されている放送番組を再生する指令が入力されたときには、当該放送番組を再生するだけでなく、当該放送番組に関連するコンテンツファイルをも再生することができるようになる。
【００１５】
また、この発明によれば、映像記録再生装置で録画予約された放送番組に関連したコンテンツファイルを、コンテンツファイル配信サーバが当該映像記録再生装置に提供できるようになる。
【発明を実施するための最良の形態】
【００１６】
以下、図面を参照して、この発明の実施例について説明する。
【実施例１】
【００１７】
〔１〕ＣＭ配信システムの構成
【００１８】
図１は、ＣＭ配信システムの構成を示している。
【００１９】
広告主１は、ＣＭ配信サービスを行なうサービサー２に、広告主のためのＣＭの配信を依頼する。ただし、広告主１が依頼するＣＭは、今後放送されるテレビ番組に関連する商品、サービス等のＣＭである。例えば、旅行会社が今後放送予定のテレビ番組”華麗なる一族”に関連するツアーを企画した場合に、そのツアーのＣＭが今後放送されるテレビ番組に関連する商品、サービス等のＣＭに該当する。広告主１は、サービサー２に対してＣＭ配信料を支払う。
【００２０】
サービサー２は、広告主から依頼されたＣＭのコンテンツファイル（以下、ＣＭファイルという）を、サービサー２が運用するメールサーバ機能を備えたＣＭ配信サーバ３に保存する。この例では、ＣＭファイルとしては、動画ファイルが用いられているが、静止画ファイルを用いてもよい。ＣＭファイルは、広告主１がＣＭ作成会社に依頼して作成してもよいし、サービサー２が自ら作成しもよいし、サービサー２がＣＭ作成会社に依頼して作成してもよい。
【００２１】
情報家電端末（映像記録再生装置）４は、放送局５によって放送されている番組を受信して録画する機能、録画された番組やＣＭ配信サーバ３から取得したＣＭファイルを再生する機能、ＣＭ配信サーバ３と通信を行なうための通信機能、ＣＭ配信サーバ３が提供するＷｅｂページを表示するためのブラウザ機能等を備えている。情報家電端末４のユーザは、情報家電端末４のブラウザ機能を利用して、ユーザのプロファイル（年齢、性別、住所等）をＣＭ配信サーバ３に登録する。情報家電端末４は、録画予約が行なわれたときには、録画予約情報（日時、ＣＨ等）を、ＣＭ配信サーバ３に送信する。
【００２２】
ＣＭ配信サーバ３は、情報家電端末４からの録画予約情報を受信すると、受信した録画予約情報によって特定される番組（録画予約番組）に関連したＣＭファイルを検索する。ＣＭ配信サーバ３は、録画予約番組に関連したＣＭファイルが見つかった場合には、当該情報家電端末４のユーザのプロファイルに基づいて、当該情報家電端末４のユーザが当該ＣＭファイルの視聴対象者としての条件を満たしているか否かを判別し、条件を満たしている場合には、当該ＣＭファイルと該ＣＭファイルに関連するテレビ番組の情報（メタ情報）とを含むメールファイルを、当該情報家電端末４のユーザ宛メールとしてＣＭ配信サーバ３に置く。
【００２３】
情報家電端末４は、定期的または予約録画開始前に、ＣＭ配信サーバ３に置かれた当該情報家電端末４のユーザ宛の新着メールを確認する。新着メールがあれば、そのメールをダウンロードして、保存する。
【００２４】
情報家電端末４は、録画済番組等の再生対象となるコンテンツのリスト（以下、再生リストという）を表示する際には、保存しているＣＭファイルのタイトルをそれに関連する録画番組のタイトルに関連付けて表示する。例えば、図８に示すように、保存しているＣＭファイルのタイトルをそれに関連する録画番組のタイトルの隣に並べて表示させる。
【００２５】
再生リストから任意のＣＭファイルのタイトルが選択されて決定キーが押された場合には、そのＣＭファイルのみが再生される。再生リストから任意の録画番組のタイトルが選択されて決定キーが押された場合において、当該録画番組に関連したＣＭファイルが保存されている場合には、当該録画番組を再生する際に、当該録画番組に関連したＣＭファイルも再生される。このような再生を行なうことにより、情報家電端末４のユーザは、録画番組とＣＭ配信サーバ３から配信されたＣＭファイルとを連動して視聴することになる。      
【００２６】
情報家電端末４は、ＣＭファイルを再生した場合（ＣＭファイルのみを再生した場合および録画番組の再生に伴ってＣＭファイルが再生された場合の両方を含む）には、ユーザが当該ＣＭファイルを視聴したことを示す情報をＣＭ視聴履歴情報としてＣＭ配信サーバ３に送信する。ＣＭ配信サーバ３は、情報家電端末４から送られてきたＣＭ視聴履歴情報に基づいて、各ＣＭファイル毎の視聴履歴や、ユーザ毎のＣＭファイルの視聴履歴を保存する。
【００２７】
サービサー２は、ユーザ毎のＣＭファイルの視聴履歴に基づいて、広告主１から得たＣＭ配信料の一部を、特定のユーザに対して、通信費や端末価格の一部としてフィードバックさせることが可能である。
【００２８】
また、情報家電端末４のユーザがＣＭファイルを視聴し、そのＣＭファイルに添付されたＵＲＬに基づいて当該ユーザがそのＣＭによって宣伝されている商品を購入するためのサーバ（商品購入サーバ）６にアクセスした場合、当該ユーザが当該ＣＭファイルに対応した商品購入サーバ６にアクセスしたことを示す情報をアクセス履歴情報としてＣＭ配信サーバ３に送信するようにしてもよい。このようにすると、サービサー２は、アクセス履歴に基づいて、広告主１にアフィリエイト報酬を請求し、上記と同様にユーザにその一部を還元することが可能となる。
【００２９】
〔２〕情報家電端末４の構成
【００３０】
図２は、情報家電端末４の構成を示している。
【００３１】
情報家電端末４は、放送局５によって放送されている番組を受信して録画する機能、録画された番組やＣＭ配信サーバ３から取得したＣＭファイルを再生する機能、ＣＭ配信サーバ３と通信を行なうための通信機能、ＣＭ配信サーバ３が提供するＷｅｂページを表示するためのブラウザ機能等を備えている。
【００３２】
情報家電端末４は、チューナ２１、Ｄｅｍａｘ２２、音声デコーダ２３、ＤＳＰ２４、ＣＰＵ２５、ＬＡＮ−ＩＦ２６、ＨＤＤ−ＩＦ２７、ＨＤＤ２８、Ａ／Ｖデコーダ２９およびリモートコントローラ（リモコン）３０を備えている。
【００３３】
チューナ２１には、アンテナ１１が接続されている。ＬＡＮ−ＩＦ２６は、ルータ１２およびインターネット１３を介して、ＣＭ配信サーバ３に接続されている。Ａ／Ｖデコーダ部２９は、モニタ１４に接続されている。
【００３４】
〔２−１〕ユーザプロファイルの登録時の情報家電端末４の動作およびＣＭ配信サーバ３に設けられた管理テーブルの説明
【００３５】
情報家電端末４のユーザが、情報家電端末４のブラウザ機能を利用して、ＣＭ配信サーバ３にアクセスすると、ユーザプロファイル登録のためのＷｅｂページがＣＭ配信サーバ３から送られてくる。情報家電端末４は、ＣＭ配信サーバ３から送られてきたユーザプロファイル登録のためのＷｅｂページを表示する。
【００３６】
ユーザは、このＷｅｂページ上で、端末ＩＤ（またはユーザＩＤ）（Ｐｘｘｘｘ）、年齢、性別、住所、メールアドレス等のユーザプロファイル情報を入力し、Ｗｅｂページ上のＯＫボタンを押す。ユーザがＯＫボタンを押すと、上記Ｗｅｂページ上で入力されたユーザプファイル情報がＣＭ配信サーバ３に送信される。なお、端末ＩＤ（またはユーザＩＤ）は、予め情報家電端末４（またはその端末を所有するユーザ）に与えられているものとする。
【００３７】
ＣＭ配信サーバ３は、情報家電端末４からユーザプロファイル情報が送られてくると、図３（ａ）に示すようなユーザ管理テーブルに登録する。ユーザ管理テーブルには、端末ＩＤ（またはユーザＩＤ）（Ｐｘｘｘｘ）毎に、年齢、性別、住所、メールアドレス、送信履歴情報、視聴履歴情報が記憶される。ユーザ管理テーブルは、ＣＭ配信サーバ３の記憶装置内に設けられている。
【００３８】
ＣＭ配信サーバ３の記憶装置内には、広告主１から配信依頼されたＣＭファイルが保存されている。ＣＭファイルのデータ形式は、この例では、ＭＰＥＧ２−ＴＳ形式である。ＣＭ配信サーバ３の記憶装置内には、図３（ｂ）に示すように、記憶装置に保存しているＣＭファイルを管理するためのＣＭファイル管理テーブルが設けられている。
【００３９】
ＣＭファイル管理テーブルには、ＣＭファイルのＩＤ（Ｄｘｘｘ）毎に、当該ＣＭファイルに関連するテレビ番組の情報（メタ情報）と、当該ＣＭファイルのタイトルと、当該ＣＭファイルの視聴対象者となる条件（年齢および性別）と、当該ＣＭファイルの視聴履歴（視聴者数）が記憶される。メタ情報は、この例では、当該ＣＭファイルに関連するテレビ番組の放送日、チャンネル、放送時間帯（放送開始時刻および放送終了時刻）、番組タイトルおよび出演者の情報からなる。なお、ＣＭファイルの保存およびＣＭファイル管理テーブルへのＣＭファイルの管理情報の登録は、例えば、ＣＭ配信サーバ３の管理者がＣＭ配信サーバ３を操作することによって行なわれる。
【００４０】
〔２−２〕録画予約が行なわれたときの情報家電端末４の動作および録画予約情報を受信したときのＣＭ配信サーバ３の動作の説明
【００４１】
情報家電端末４のユーザは、ＥＰＧ等を利用して、放送予定の番組の中から所望の番組を録画予約することができる。
【００４２】
図５は、録画予約が行なわれた場合の情報家電端末４の動作を示している。
【００４３】
ユーザによって録画予約が行なわれると（ステップＳ１）、情報家電端末４のＣＰＵ２５は、録画予約情報を図４（ａ）に示すような録画予約情報管理テーブルに登録する（ステップＳ２）。録画予約情報管理テーブルは、図示しない不揮発性メモリ内またはＨＤＤ２８内に設けられている。録画予約情報は、この例では、録画予約番組のＩＤ（Ｙｘｘｘｘ）毎に放送日、チャンネル、放送時間帯（放送開始時刻および放送終了時刻）、番組タイトルおよび出演者の情報からなる。
【００４４】
また、情報家電端末４は、録画予約情報を録画予約情報管理テーブルに登録した後、録画予約情報中の放送日、チャンネルおよび放送時間帯を、端末ＩＤ（またはユーザＩＤ）とともに、ＣＭ配信サーバ３に送信する（ステップＳ３）。
【００４５】
図６は、情報家電端末４からの録画予約情報を受信したときのＣＭ配信サーバ３の動作を示している。
【００４６】
端末ＩＤとともに録画予約情報を受信すると（ステップＳ１１）、ＣＭ配信サーバ３は、ＣＭファイル管理テーブル（図３（ｂ）参照）から、受信した録画予約情報（放送日、チャンネルおよび放送時間帯）とメタ情報中の放送日、チャンネルおよび放送時間帯とが一致するＣＭファイルを検索する（ステップＳ１２）。受信した録画予約情報とメタ情報中の放送日、チャンネルおよび放送時間帯が一致するＣＭファイルが検索できなかった場合には（ステップＳ１３でＮＯ）、今回の処理を終了する。
【００４７】
受信した録画予約情報とメタ情報中の放送日、チャンネルおよび放送時間帯が一致するＣＭファイルが見つかった場合には（ステップＳ１３でＹＥＳ）、録画予約情報の送信元の情報家電端末４のユーザが、そのＣＭファイルの視聴対象者となる条件（対象年齢および対象性別）を満たしているか否かを判別する（ステップＳ１４）。この判別は、ＣＭファイル管理テーブル（図３（ｂ）参照）からステップＳ１２の検索によって見つかったＣＭファイルの視聴対象者となる条件（年齢および性別）を抽出するとともに、ユーザ管理テーブル（図３（ａ）参照）から今回受信した端末ＩＤに対応する年齢、性別を抽出し、それらを比較することにより行なう。
【００４８】
録画予約情報の送信元の情報家電端末４のユーザが、そのＣＭファイルの視聴対象者となる条件（年齢および性別）を満たしていない場合には（ステップＳ１４でＮＯ）、今回の処理を終了する。
【００４９】
録画予約情報の送信元の情報家電端末４のユーザが、そのＣＭファイルの視聴対象者となる条件（年齢および性別）を満たしている場合には（ステップＳ１４でＹＥＳ）、録画予約情報の送信元の情報家電端末４に、ステップＳ１２の検索によって見つかったＣＭファイル、当該ＣＭファイルのＩＤ、当該ＣＭファイルのタイトルおよび当該ＣＭファイルに関連する放送番組のメタ情報（ステップＳ１４の判別のためにＣＭファイル管理テーブルから抽出したメタ情報）とからなるメールファイルをメール送信する（ステップＳ１５）。また、ユーザ管理テーブル（図３（ａ）参照）におけるメール送信先の情報家電端末４の端末ＩＤに対応する送信履歴欄に、当該情報家電端末４にメール送信したＣＭファイルのＩＤ（Ｄｘｘｘｘ）を記録する（ステップＳ１６）。そして、今回の処理を終了する。
【００５０】
〔２−３〕ＣＭファイルを受信したときの情報家電端末４の動作の説明
【００５１】
図７は、ＣＭ配信サーバ３からのＣＭファイルを受信したときの情報家電端末４の動作を示している。
【００５２】
情報家電端末４は、定期的にＣＭ配信サーバ３に置かれた新着メールを確認し（ステップＳ２１）、新着メールがあればそのメールファイルをダウンロードする（ステップＳ２２）。そして、受信したメールファイルに含まれているＣＭファイルをＨＤＤ２８に保存するとともに、受信したメールファイルに含まれているＣＭファイルとそのＣＭファイルに関連する放送番組のメタ情報とに基づいて、図４（ｂ）に示すような受信ＣＭファイル管理テーブルに受信したＣＭファイルの情報、受信したメタ情報等を登録する（ステップＳ２３）。受信ＣＭファイル管理テーブルは、特許請求の範囲内の「動画ファイル管理テーブル」に相当する。
【００５３】
受信ＣＭファイル管理テーブルには、受信したメールファイルに含まれているＣＭファイルのＩＤ毎に、受信したメールファイルに含まれているメタ情報（受信したＣＭファイルに関連する放送番組の放送日、チャンネル、放送時間帯（放送開始時刻および放送終了時刻）、番組タイトルおよび出演者の情報）、受信したメールファイルに含まれている当該ＣＭファイルのタイトルおよび視聴履歴が記憶される。
【００５４】
〔２−４〕録画予約された番組の録画動作の説明
【００５５】
情報家電端末４のＣＰＵ２５は、録画予約番組の放送開始時刻になると、録画予約番組を受信できようにチューナ２１を制御する。チューナ２１は、アンテナ１１を介して受信された放送波を復調してＭＰＥＧ２−ＴＳ信号を出力する。ＨＤＤ−ＩＦ２７は、チューナ２１から出力されたＭＰＥＧ２−ＴＳ信号をＨＤＤ２８に記録する。
【００５６】
ＣＰＵ２５は、この録画時にＣＭ検出を同時に行なう。つまり、まず、Ｄｅｍａｘ２２は、チューナ２１から出力されるＭＰＥＧ２−ＴＳ信号から音声信号を分離し、圧縮Ａｕｄｉｏ信号を出力する。Ｄｅｍａｘ２２から出力された圧縮Ａｕｄｉｏ信号は、音声デコーダ２３に送られる。音声デコーダ２３は、圧縮Ａｕｄｉｏ信号をデコードして、非圧縮の音声信号を出力する。ＤＳＰ２４は、音声デコーダ２３から出力される音声信号を解析して、無音区間を検出する。ＣＰＵ２５は、ＤＳＰ２４によって検出された無音区間の間隔からＣＭ区間を検出する。検出されたＣＭ区間の位置情報は、ＨＤＤ２８に記録される映像（ＭＰＥＧ２−ＴＳ）信号ファイルに関連付けられてＨＤＤ２８に記録される。なお、無音区間の間隔からＣＭ区間を検出する方法としては、例えば、特開２００２−２４７５１６号公報に開示されているＣＭ区間検出方法等の公知の方法を使用することができる。
【００５７】
〔２−５〕再生リスト（録画番組リスト）の表示方法についての説明
【００５８】
上述したように、情報家電端末４は、図８に示すように、再生リストを表示する際には、保存しているＣＭファイルのタイトルをそれに関連する録画番組のタイトルに関連付けて表示する。例えば、保存しているＣＭファイルのタイトルをそれに関連する録画番組のタイトルの下に並べて表示させる。
【００５９】
このような再生リストを表示させるために、情報家電端末４のＣＰＵ２５は、録画が行なわれると、録画された番組の録画予約情報（図４（ａ）参照）と、受信ＣＭファイル管理テーブル（図４（ｂ）参照）の内容とに基づいて、図４（ｃ）に示すように、録画番組管理テーブルに録画済番組の情報（録画済番組のＩＤ（Ｙｘｘｘ）、放送日、チャンネル、放送時間帯、番組タイトルおよび出演者の情報）と、それに関連するＣＭファイルの情報（ＣＭファイルのＩＤ（Ｄｘｘｘ）、関連する録画済番組の放送日、チャンネルおよび放送時間帯ならびにＣＭファイルのタイトル）とを記録する。
【００６０】
〔２−６〕再生動作についての説明
【００６１】
図８に示す再生リストから任意のＣＭファイルのタイトルがユーザによって選択されて決定キーが押されることにより、選択されたＣＭファイルの再生指令がＣＰＵ２５に入力された場合には、そのＣＭファイルのみが再生される。再生リストから任意の録画番組のタイトルが選択されて決定キーが押されることにより、選択された録画番組の再生指令がＣＰＵ２５に入力された場合において、当該録画番組に関連したＣＭファイルが保存されている場合には、当該録画番組を再生する際に、当該録画番組に関連したＣＭファイルも再生される。
【００６２】
具体的には、次のような再生方法が用いられる。
【００６３】
（ａ）図９に示すように、選択された録画番組の先頭に当該録画番組に関連したＣＭファイルを付加した後、付加したＣＭファイルから再生していく。
（ｂ）図１０に示すように、選択された録画番組を再生していくが、録画番組に含まれているＣＭ部分を、当該録画番組に関連したＣＭファイルに置き換えて再生する。
この再生方法は、特に記録再生装置において実施すると好適である。放送番組に含まれているＣＭ部分の再生時間長とＣＭファイルの再生時間長とが異なっていても、放送番組が録画済番組であるため、放送番組に含まれているＣＭ部分をＣＭファイルに置き換えることが可能となる。リアルタイム再生の場合、放送番組に含まれているＣＭ部分の再生時間長とＣＭファイルの再生時間長とが異なっていると、放送番組に含まれているＣＭ部分をＣＭファイルに置き換えようとした場合に、時間が余ったり、ＣＭファイルの一部が再生できないといったことが発生する。
（ｃ）図１１に示すように、選択された録画番組を再生していくが、録画番組に含まれているＣＭ部分が再生される毎に、そのＣＭ部分と本編部分との間に当該録画番組に関連したＣＭファイルを再生する。
【００６４】
ＣＭファイルのみ、録画番組のみまたは録画番組とＣＭファイルの両方を再生する際には、ＨＤＤ２８から再生対象となるＭＰＥＧ２−ＴＳがＨＤＤ−ＩＦ２７を介して読み出され、Ａ／Ｖデコーダ２９でデコードされ、Video/Audio 信号となってモニタ１４に出力される。
【００６５】
図１２は、ＣＭファイルが再生された場合（ＣＭファイルのみを再生した場合および録画番組の再生に伴ってＣＭファイルが再生された場合の両方を含む）の情報家電端末４の動作を示している。
【００６６】
ＣＭファイルが再生された場合には（ステップＳ４１）、情報家電端末４は、受信ＣＭファイル管理テーブル（図４（ｂ）参照）における当該ＣＭファイルの視聴履歴欄に、視聴履歴情報（視聴したことを示す情報）を記録する（ステップＳ４２）。また、情報家電端末４は、当該ＣＭファイルが視聴されたことをＣＭ配信サーバ３に通知するために、  当該ＣＭファイルのＩＤを端末ＩＤとともに、ＣＭ配信サーバ３に送信する（ステップＳ４３）。
【００６７】
図１３は、情報家電端末４から送信されたＣＭファイルのＩＤを受信した場合のＣＭ配信サーバ３の動作を示している。
【００６８】
情報家電端末４から送信されたＣＭファイルのＩＤを端末ＩＤとともに受信した場合には（ステップＳ５１）、ＣＭ配信サーバ３はユーザ管理テーブル（図３（ａ）参照）における受信した端末ＩＤの視聴履歴欄に、受信したＣＭファイルのＩＤ（Ｄｘｘｘ）を記録する（ステップＳ５２）。また、ＣＭ配信サーバ３はＣＭファイル管理テーブル（図３（ｂ）参照）における受信したＣＭファイルのＩＤ（Ｄｘｘｘ）の視聴履歴欄の視聴者数を１だけインクリメントする（ステップＳ５３）。そして、今回の処理を終了する。
なお、録画番組の映像データの形式およびＣＭファイルの映像データの形式は、ＭＰＥＧ２−ＴＳ以外の形式であってもよい。
【００６９】
ＣＭファイルの配信方法はメール送信に限らず、ブリッジメディアなどを介してＣＭファイルを配信するようにしてもよい。
【００７０】
ＣＭファイルが再生されている場合に、早送り操作やスキップ操作を無効にするようにしてもよい。また、ＨＤＤ２８に記録されているＣＭファイルのうち、一度も再生されてないＣＭファイルについては、そのＣＭファイルをユーザが削除できないようにすることが好ましい。
【００７１】
ＥＰＧの表示画面において、表示されている番組に関連するＣＭファイルが保存されている場合には、その番組タイトルの隣にその番組に関連するＣＭファイルのタイトルを並べて表示するようにしてもよい。
【００７２】
なお、ＨＤＤに保存される録画番組の映像データの代わりにプライベートな動画を用いてもよい。
【図面の簡単な説明】
【００７３】
【図１】ＣＭ配信システムの構成を示す模式図である。
【図２】情報家電端末４の構成を示すブロック図である。
【図３】ＣＭ配信サーバ３に設けられたユーザ管理テーブルと、ＣＭファイル管理テーブルとを示す模式図である。
【図４】情報家電端末４に設けられた録画予約情報管理テーブルと、受信ＣＭファイル管理テーブルと、録画番組管理テーブルとを示す模式図である。
【図５】録画予約が行なわれた場合の情報家電端末４の動作を示すフローチャートである。
【図６】情報家電端末４からの録画予約情報を受信したときのＣＭ配信サーバ３の動作を示すフローチャートである。
【図７】ＣＭ配信サーバ３からのＣＭファイルを受信したときの情報家電端末４の動作を示すフローチャートである。
【図８】再生リストの表示例を示す模式図である。
【図９】録画番組の再生方法を示す模式図である。
【図１０】録画番組の他の再生方法を示す模式図である。
【図１１】録画番組のさらに他の再生方法を示す模式図である。
【図１２】ＣＭファイルが再生された場合（ＣＭファイルのみを再生した場合および録画番組の再生に伴ってＣＭファイルが再生された場合の両方を含む）の情報家電端末４の動作を示すフローチャートである。
【図１３】情報家電端末４から送信されたＣＭファイルのＩＤを受信した場合のＣＭ配信サーバ３の動作を示を示すフローチャートである。
【符号の説明】
【００７４】
３  ＣＭ配信サーバ
４  情報家電端末
２１  チューナ
２２  Ｄｅｍａｘ
２３  音声デコーダ
２４  ＤＳＰ
２５  ＣＰＵ
２６  ＬＡＮ−ＩＦ
２７  ＨＤＤ−ＩＦ
２８  ＨＤＤ
２９  Ａ／Ｖデコーダ
３０  リモコン
【図１】
2008278039.tif 000003
【図２】
2008278039.tif 000004
【図３】
2008278039.tif 000005
【図４】
2008278039.tif 000006
【図５】
2008278039.tif 000007
【図６】
2008278039.tif 000008
【図７】
2008278039.tif 000009
【図８】
2008278039.tif 000010
【図９】
2008278039.tif 000011
【図１０】
2008278039.tif 000012
【図１１】
2008278039.tif 000013
【図１２】
2008278039.tif 000014
【図１３】
2008278039.tif 000015